(57)【特許請求の範囲】
【請求項１】
カードの挿入口から挿入される前記カードに記録されたデータの読取りおよび／または前記カードへのデータの記録を行うカードリーダにおいて、
前記挿入口への前記カードの挿入方向側を奥側とすると、
前記挿入口が形成される前面カバーと、前記挿入口から挿入された前記カードの奥側部分が収容される袋状のカード収容部を有し前記前面カバーに固定される本体フレームと、前記カード収容部を覆うように前記前面カバーに固定されるケース体と、前記カード収容部を加熱する加熱機構とを備え、
前記加熱機構は、発熱量の異なる複数の発熱部を有するヒータと、複数の前記発熱部のそれぞれに電力を供給するために複数の前記発熱部のそれぞれに電気的に接続される複数のコネクタとを備え、
複数の前記コネクタは、前記ケース体の外部に配置されていることを特徴とするカードリーダ。
【請求項２】
複数の前記発熱部は、同心状に配置されていることを特徴とする請求項１記載のカードリーダ。
【請求項３】
前記ヒータは、前記発熱部として、互いに発熱量の異なる第１発熱部と第２発熱部とを備え、
前記第１発熱部は、略矩形状に形成され、
前記第２発熱部は、前記第１発熱部の外周側を囲む略矩形の枠状に形成されていることを特徴とする請求項２記載のカードリーダ。
【請求項４】
前記発熱部は、ステンレス鋼で形成された帯状の発熱体が複数回、波状に折り曲げられることで形成され、
前記ヒータは、複数の前記発熱部を間に挟むシリコンゴム製の２枚のシート状部材を備えることを特徴とする請求項２または３記載のカードリーダ。
【請求項５】
前記カードリーダを制御するための制御用の基板を備え、
前記コネクタは、前記基板に実装されていることを特徴とする請求項１から４のいずれかに記載のカードリーダ。
【請求項６】
前記カードリーダが上位装置から取り外されたことを検知するための取外し検知機構と、前記カードリーダを制御するための制御用の基板とを備え、
前記基板には、前記カードから読み取られたデータおよび／または前記カードに記録されるデータが記憶される記憶手段と、前記カードリーダの制御回路とが実装され、
前記取外し検知機構での検知結果に基づいて前記上位装置から前記カードリーダが取り外されたことが検知されると、前記記憶手段に記憶されたデータが消去されること、または、前記制御回路が使用不可な状態にされることを特徴とする請求項１から５のいずれかに記載のカードリーダ。
【請求項７】
前記ケース体が取り外されたことを検知するための第２の取外し検知機構と、前記カードリーダを制御するための制御用の基板とを備え、
前記基板には、前記カードから読み取られたデータおよび／または前記カードに記録されるデータが記憶される記憶手段と、前記カードリーダの制御回路とが実装され、
前記第２の取外し検知機構での検知結果に基づいて前記ケース体が取り外されたことが検知されると、前記記憶手段に記憶されたデータが消去されること、または、前記制御回路が使用不可な状態にされることを特徴とする請求項１から６のいずれかに記載のカードリーダ。
【請求項８】
環状に形成されるシール部材を備え、
前記挿入口からの前記カードの抜取り方向側を手前側とすると、
前記本体フレームは、鍔状に形成され前記カード収容部の手前端に繋がる隔壁部を備え、
前記シール部材は、前記前面カバーと前記隔壁部との間に配置されるとともに前記カードが通過するカード通過路を外周側から囲むように配置されていることを特徴とする請求項１から７のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、ガソリンスタンドの給油装置に搭載されて使用される手動式のカードリーダが知られている（たとえば、特許文献１参照）。特許文献１に記載のカードリーダは、カードの挿入口が形成されるとともに給油装置の操作パネルに固定される保護カバーと、保護カバーに固定される本体フレームとを備えている。本体フレームは、袋状に形成されカードの奥側部分が収容されるカード収容部と、カード収容部の前端に形成される鍔状の隔壁部とを備えており、隔壁部の前面が保護カバーに固定されている。カード収容部の外部には、制御基板が取り付けられている。
【０００３】
また、特許文献１に記載のカードリーダでは、保護カバーと隔壁部との間に、環状に形成されたシール部材が配置されている。このシール部材は、カードが通過する部分を外周側から囲むように配置されている。そのため、このカードリーダでは、カードの挿入口から浸入した水等の液体がカード収容部の外部へ浸入するのを防止することが可能になっている。すなわち、このカードリーダでは、カード収容部の外部の、制御基板の配置箇所へ液体が浸入するのを防止することが可能になっており、このカードリーダは、制御基板の配置箇所への液体の浸入を防止する防水機能を備えている。
【０００４】
また、特許文献１に記載のカードリーダは、挿入口から浸入した水等の液体がカード収容部の中で凍結するのを防止するための加熱器を備えている。この加熱器は、たとえば、半導体加熱器であり、カードの厚さ方向におけるカード収容部の一方の外側面付近に配置されている。また、この加熱器は、たとえば、電熱線とファンモータとを備えており、カードの幅方向におけるカード収容部の一方の外側面付近に配置されている。なお、加熱器の発熱量は、加熱器の仕様や、加熱器に電力を供給する給油装置側の電源の仕様によって決まる。
【先行技術文献】
【特許文献】
【０００５】
【特許文献１】特開平８−２７９２４０号公報
【発明の概要】
【発明が解決しようとする課題】
【０００６】
特許文献１に記載のカードリーダは、近年、様々な温度環境下で使用され始めている。カードリーダが使用される温度環境が予めわかっている場合には、その温度環境に応じた発熱量の加熱器をカードリーダに設けることで、カード収容部の中での液体の凍結を防止することは可能である。しかしながら、カードリーダが使用される温度環境が予めわからない場合には、想定される温度環境よりも低い温度環境下でカードリーダが使用されて、カード収容部の中での液体の凍結を防止できないといった事態が生じるおそれがある。
【０００７】
上述のように、加熱器の発熱量は、加熱器の仕様や、加熱器に電力を供給する給油装置側の電源の仕様によって決まるため、カード収容部の中での液体の凍結を防止できない場合には、カードリーダに設けられた加熱器を発熱量の大きな加熱器に交換するか、あるいは、給油装置側の電源を交換すれば良い。しかしながら、カードリーダが給油装置に取り付けられた後の加熱器や電源の交換作業は煩雑である。また、特許文献１に記載のカードリーダにおいて、カードリーダのセキュリティ性を高める等の目的で、カード収容部、制御基板および加熱器を覆うケース体が設けられることがあるが、ケース体が設けられたカードリーダにおいて、加熱器を交換する場合には、加熱器を覆うケース体を取り外さなければならないため、加熱器の交換作業はより煩雑になる。
【０００８】
そこで、本発明の課題は、使用される温度環境が予めわからない場合であっても、ヒータの交換および上位装置側の電源の交換を行うことなく、カード収容部の中での液体の凍結を防止することが可能なカードリーダを提供することにある。
【課題を解決するための手段】
【０００９】
上記の課題を解決するため、本発明のカードリーダは、カードの挿入口から挿入されるカードに記録されたデータの読取りおよび／またはカードへのデータの記録を行うカードリーダにおいて、挿入口へのカードの挿入方向側を奥側とすると、挿入口が形成される前面カバーと、挿入口から挿入されたカードの奥側部分が収容される袋状のカード収容部を有し前面カバーに固定される本体フレームと、カード収容部を覆うように前面カバーに固定されるケース体と、カード収容部を加熱する加熱機構とを備え、加熱機構は、発熱量の異なる複数の発熱部を有するヒータと、複数の発熱部のそれぞれに電力を供給するために複数の発熱部のそれぞれに電気的に接続される複数のコネクタとを備え、複数のコネクタは、ケース体の外部に配置されていることを特徴とする。
【００１０】
本発明のカードリーダでは、加熱機構は、発熱量の異なる複数の発熱部を有するヒータと、複数の発熱部のそれぞれに電力を供給するために複数の発熱部のそれぞれに電気的に接続される複数のコネクタとを備えている。そのため、本発明では、１つの発熱部または複数の発熱部を選択して、選択した発熱部に電力が供給されるようにコネクタと上位装置側の電源とを接続することで、加熱機構によって複数種類の加熱温度でカード収容部を加熱することが可能になる。したがって、本発明では、カードリーダが実際に使用される温度環境に応じた１つの発熱部または複数の発熱部を選択して、選択した発熱部に電力が供給されるようにコネクタと上位装置側の電源とを接続することで、カードリーダが実際に使用される温度環境に適した加熱温度でカード収容部を加熱することが可能になり、その結果、カード収容部の中での液体の凍結を防止することが可能になる。そのため、本発明では、カードリーダが使用される温度環境が予めわからない場合であっても、ヒータの交換および上位装置側の電源の交換を行うことなく、カード収容部の中での液体の凍結を防止することが可能になる。
【００１１】
また、本発明では、１つの発熱部または複数の発熱部を選択して、選択した発熱部に電力が供給されるようにコネクタと上位装置側の電源とを接続することで、カード収容部の中での液体の凍結を防止することが可能になるため、簡単な作業によって、カード収容部の中での液体の凍結を防止することが可能になる。
【００１２】
また、本発明では、複数のコネクタがケース体の外部に配置されているため、カードリーダが上位装置に取り付けられた後であっても、ケース体を取り外すことなく、上位装置側の電源に接続されるコネクタを変更することが可能になる。したがって、本発明では、カードリーダが上位装置に取り付けられた後であっても、上位装置側の電源に接続されるコネクタを容易に変更することが可能になる。
【００１３】
本発明において、複数の発熱部は、同心状に配置されていることが好ましい。この場合には、たとえば、ヒータは、発熱部として、互いに発熱量の異なる第１発熱部と第２発熱部とを備え、第１発熱部は、略矩形状に形成され、第２発熱部は、第１発熱部の外周側を囲む略矩形の枠状に形成されている。このように構成すると、ヒータによってカード収容部の全体を斑なく加熱することが可能になる。
【００１４】
本発明において、発熱部は、ステンレス鋼で形成された帯状の発熱体が複数回、波状に折り曲げられることで形成され、ヒータは、複数の発熱部を間に挟むシリコンゴム製の２枚のシート状部材を備えることが好ましい。このように構成すると、シリコンゴム製のシート状部材によって発熱部での短絡を防止することが可能になる。
【００１５】
本発明において、カードリーダは、カードリーダを制御するための制御用の基板を備え、コネクタは、基板に実装されていることが好ましい。このように構成すると、カードリーダを制御するために必要となる基板にコネクタが実装されているため、コネクタが実装される基板やコネクタが接続されるケーブルが別途設けられている場合と比較して、カードリーダの構成を簡素化することが可能になる。
【００１６】
本発明において、カードリーダは、たとえば、カードリーダが上位装置から取り外されたことを検知するための取外し検知機構と、カードリーダを制御するための制御用の基板とを備え、基板には、カードから読み取られたデータおよび／またはカードに記録されるデータが記憶される記憶手段と、カードリーダの制御回路とが実装され、取外し検知機構での検知結果に基づいて上位装置からカードリーダが取り外されたことが検知されると、記憶手段に記憶されたデータが消去されること、または、制御回路が使用不可な状態にされる。この場合には、犯罪者が上位装置からカードリーダを取り外して記憶手段に記憶されたデータを不正に取得しようとしても、犯罪者は記憶手段に記憶されたデータを取得することができない。そのため、この場合には、カードリーダのセキュリティ性を高めることが可能になる。一方で、このカードリーダの場合、上位装置からカードリーダが取り外されると、記憶手段に記憶されたデータが消去されたり、制御回路が使用不可な状態となるため、上位装置にカードリーダが取り付けられた状態で、上位装置側の電源に接続されるコネクタを変更する必要があるが、本発明では、複数のコネクタがケース体の外部に配置されているため、カードリーダが上位装置に取り付けられた状態であっても、上位装置側の電源に接続されるコネクタを容易に変更することが可能になる。
【００１７】
本発明において、カードリーダは、たとえば、ケース体が取り外されたことを検知するための第２の取外し検知機構と、カードリーダを制御するための制御用の基板とを備え、基板には、カードから読み取られたデータおよび／またはカードに記録されるデータが記憶される記憶手段と、カードリーダの制御回路とが実装され、第２の取外し検知機構での検知結果に基づいてケース体が取り外されたことが検知されると、記憶手段に記憶されたデータが消去されること、または、制御回路が使用不可な状態にされる。この場合には、犯罪者がケース体を取り外して記憶手段に記憶されたデータを不正に取得しようとしても、犯罪者は記憶手段に記憶されたデータを取得することができない。そのため、この場合には、カードリーダのセキュリティ性を高めることが可能になる。一方で、このカードリーダの場合、ケース体が取り外されると、記憶手段に記憶されたデータが消去されたり、制御回路が使用不可な状態となるため、ケース体を取り外さずに、上位装置側の電源に接続されるコネクタを変更する必要があるが、本発明では、複数のコネクタがケース体の外部に配置されているため、ケース体を取り外さなくても、上位装置側の電源に接続されるコネクタを変更することが可能になる。
【００１８】
本発明において、カードリーダは、たとえば、環状に形成されるシール部材を備え、挿入口からのカードの抜取り方向側を手前側とすると、本体フレームは、鍔状に形成されカード収容部の手前端に繋がる隔壁部を備え、シール部材は、前面カバーと隔壁部との間に配置されるとともにカードが通過するカード通過路を外周側から囲むように配置されている。この場合には、カードの挿入口から浸入した水等の液体がカード収容部の外部へ浸入するのを防止することが可能になる。
【発明の効果】
【００１９】
以上のように、本発明では、カードリーダが使用される温度環境が予めわからない場合であっても、ヒータの交換および上位装置側の電源の交換を行うことなく、カード収容部の中での液体の凍結を防止することが可能になる。
【図面の簡単な説明】
【００２０】
【図１】本発明の実施の形態にかかるカードリーダの斜視図である。
【図２】図１に示すカードリーダからケース体を取り外した状態の斜視図である。
【図３】図２に示すカードリーダから基板を取り外した状態を別の方向から示す斜視図である。
【図４】図３に示すカードリーダから基板等を取り外した状態を別の方向から示す斜視図である。
【図５】図１に示すカードリーダから基板および取外し検知機構を抜き出して示す斜視図である。
【図６】図１に示す前面カバーを取り外した状態のカードリーダの前端側部分の斜視図である。
【図７】図４に示すヒータの分解斜視図である。
【発明を実施するための形態】
【００２１】
以下、図面を参照しながら、本発明の実施の形態を説明する。
【００２２】
（カードリーダの全体構成）
図１は、本発明の実施の形態にかかるカードリーダ１の斜視図である。図２は、図１に示すカードリーダ１からケース体７を取り外した状態の斜視図である。図３は、図２に示すカードリーダ１から基板２７を取り外した状態を別の方向から示す斜視図である。図４は、図３に示すカードリーダ１から基板９等を取り外した状態を別の方向から示す斜視図である。図５は、図１に示すカードリーダ１から基板９、２０、２１、２７および取外し検知機構１３を抜き出して示す斜視図である。図６は、図１に示す前面カバー５を取り外した状態のカードリーダ１の前端側部分の斜視図である。
【００２３】
本形態のカードリーダ１は、ユーザが手動でカード２を操作して、カード２に記録されたデータの読取りやカード２へのデータの記録を行う手動式のカードリーダである。具体的には、カードリーダ１は、カードリーダ１へのカード２の挿入とカードリーダ１からのカード２の抜取りとを手動で行ってデータの読取りや記録を行ういわゆるディップ式のカードリーダである。このカードリーダ１は、たとえば、無人またはセルフサービス方式のガソリンスタンドの給油装置等の上位装置に取り付けられて使用される。また、カードリーダ１は、寒冷地で使用される。
【００２４】
カード２は、たとえば、厚さが０．７〜０．８ｍｍ程度の矩形状の塩化ビニール製のカードである。カード２の一方の面には、磁気データが記録される磁気ストライプが形成されている。また、カード２には、ＩＣチップが内蔵されている。カード２の他方の面には、ＩＣチップの外部接続端子が形成されている。なお、カード２は、厚さが０．１８〜０．３６ｍｍ程度のＰＥＴ（ポリエチレンテレフタレート）カードであっても良いし、所定の厚さの紙カード等であっても良い。
【００２５】
カードリーダ１は、カード２に接触してカード２に記録された磁気データの読取りやカード２への磁気データの記録を行う磁気ヘッド３（図６参照）と、カード２に内蔵されるＩＣチップとデータの通信を行うための複数のＩＣ接点を有するＩＣ接点ブロック（図示省略）と、カード２の挿入口４が形成される前面カバー５と、前面カバー５に固定される本体フレーム６と、本体フレーム６の一部を覆うケース体７と、カードリーダ１を制御するための制御用の基板９、１０とを備えている。基板９、１０は、略長方形の平板状に形成されたリジッド基板である。また、カードリーダ１は、環状に形成されるシール部材１１（図６参照）と、本体フレーム６を加熱する（あるいは保温する）加熱機構１２（図４参照）と、カードリーダ１が上位装置から取り外されたことを検知するための取外し検知機構１３（図５参照）とを備えている。
【００２６】
本形態では、手動で操作されるカード２は、図１等に示すＸ方向に移動する。具体的には、Ｘ１方向にカード２が挿入され、Ｘ２方向にカード２が抜き取られる。すなわち、Ｘ１方向は、挿入口４へのカード２の挿入方向であり、Ｘ２方向は、挿入口４からのカード２の抜取り方向である。また、Ｘ方向に直交する図１等のＹ方向は、カードリーダ１内に挿入されたカード２の厚さ方向であり、Ｘ方向とＹ方向とに直交する図１等のＺ方向は、カードリーダ１内に挿入されたカード２の幅方向（短手幅方向）である。以下の説明では、Ｘ方向を前後方向、Ｙ方向を左右方向、Ｚ方向を上下方向とする。また、Ｘ１方向側を「奥（後ろ）」側、Ｘ２方向側を「手前（前）」側、Ｙ１方向側を「右」側、Ｙ２方向側を「左」側、Ｚ１方向側を「上」側、Ｚ２方向側を「下」側とする。
【００２７】
本体フレーム６は、挿入口４から挿入されたカード２の奥側部分が収容される袋状のカード収容部１６と、鍔状に形成されカード収容部１６の手前端に繋がる隔壁部１７と、磁気ヘッド３が配置されるヘッド配置部１８（図６参照）と、挿入口４から挿入されたカード２を案内するためのカード案内部１９とを備えている。本体フレーム６には、２枚の基板２０、２１が取り付けられている（図５参照）。なお、本体フレーム６は、左右方向に２分割される第１フレームと第２フレームとによって構成されており、この第１フレームと第２フレームとが互いに接合されて固定されている。
【００２８】
カード収容部１６は、左右方向から見たときの形状が略矩形状となるように形成されている。また、カード収容部１６は、左右方向に薄い扁平形状に形成されている。このカード収容部１６は、本体フレーム６の奥端側部分を構成している。カード収容部１６は、前面のみが開口する袋状に形成されており、カード収容部１６の内部には、密閉されたカード２の収容空間が形成されている。換言すれば、カード収容部１６は、挿入口４のみが開口する箱状に形成されており、カード２が通過するカード通過路は奥側が袋小路となっている。カード収容部１６の右側面には、基板９が固定され、カード収容部１６の左側面には、基板１０が固定されている。カード収容部１６の右側面と基板９との間には隙間が形成され、カード収容部１６の左側面と基板１０との間には隙間が形成されている。また、カード収容部１６の右側面には、加熱機構１２を構成する後述の伝熱部材３４およびヒータ３５が固定されている。なお、カード収容部１６には、ＩＣ接点ブロックも取り付けられている。
【００２９】
隔壁部１７は、カード収容部１６の手前端から外周側に広がる鍔状に形成されている。隔壁部１７の中心側には、カード収容部１６に向かってカード２が通過するカード通過路が前後方向に貫通するように形成されている。隔壁部１７の上端側および下端側の４箇所には、本体フレーム６を前面カバー５に固定するためのネジ２２が挿通される挿通孔１７ａが形成されている（図３、図６参照）。なお、隔壁部１７には、磁気ヘッド３から引き出されるリード線が通過する通過孔が形成されているが、この通過孔には、シリコン等の封止用材料が充填されている。
【００３０】
図６に示すように、隔壁部１７の前面には、シール部材１１が配置されるシール配置部２４が形成されている。シール配置部２４は、隔壁部１７の前面から突出する平板状に形成されている。シール配置部２４の外周面には、シール部材１１が配置されるシール配置溝が形成されている。このシール配置溝は、シール配置部２４の外周面からシール配置部２４の径方向の内側に向かって窪む環状に形成されている。シール配置部２４に配置されるシール部材１１は、挿通孔１７ａよりも径方向の内側に配置されている。また、シール部材１１は、ゴム等で形成されている。
【００３１】
ヘッド配置部１８およびカード案内部１９は、シール配置部２４から前側に突出するように形成されている。ヘッド配置部１８とカード案内部１９とは、上下方向に所定の間隔をあけた状態で形成されている。本形態では、ヘッド配置部１８が上側に配置され、カード案内部１９が下側に配置されている。なお、ヘッド配置部１８には、左右方向で対向配置される２個の磁気ヘッド３が配置されても良いし（図６参照）、挿入口４から挿入されたカード２に左側または右側から接触する１個の磁気ヘッド３が配置されても良い。
【００３２】
前面カバー５は、カードリーダ１の前面を構成する前面部５ａと、前面部５ａの奥端に繋がる鍔状の鍔部５ｂと、鍔部５ｂの奥側面に繋がるように形成されるとともに鍔部５ｂから奥側に向かって突出する略筒状の筒部５ｃとを備えている。前面カバー５では、前面部５ａの前面側および筒部５ｃの後端以外に開口部はない。本形態では、カードリーダ１が搭載される上位装置の前面パネル（図示省略）の後面に鍔部５ｂの前面が当接した状態で、カードリーダ１が上位装置に取り付けられている。なお、前面パネルの奥側に水等の液体が浸入しないように、上位装置の前面パネルと鍔部５ｂとの間には、シール部材（図示省略）が配置されている。このシール部材は、鍔部５ｂの外周に沿って配置されている。
【００３３】
前面部５ａは、ヘッド配置部１８の前端側部分を左右両側および上側から覆う第１前面部５ｄと、カード案内部１９の前端側部分を左右両側および下側から覆う第２前面部５ｅとから構成されている。挿入口４は、前面部５ａの前面に形成されている。鍔部５ｂは、上下方向および左右方向に広がるように形成されるとともに、上下方向に長い略長方形の枠状に形成されている。筒部５ｃの内周側には、ヘッド配置部１８の奥端側部分、カード案内部１９の奥端側部分、および、シール配置部２４が配置されている。筒部５ｃの外周面の上端側および下端側の４箇所には、ネジ２２が係合するネジ係合部５ｆが形成されている。ネジ係合部５ｆは、略円筒状に形成されており、その内周面にメネジが形成されている。
【００３４】
本形態では、本体フレーム６は、隔壁部１７の前面の、シール配置部２４よりも径方向の外側部分と筒部５ｃの奥端とが当接した状態で、前面カバー５に固定されている。前面カバー５は、ヘッド配置部１８、カード案内部１９およびシール配置部２４を覆っている。また、上述のように、シール配置部２４のシール配置溝にシール部材１１が配置され、筒部５ｃの内周側にシール配置部２４が配置されている。
【００３５】
シール部材１１の外周端側部分は、シール配置部２４の外周面よりも外周側に突出しており、筒部５ｃの内周面の奥端側部分は、シール配置部２４に配置されるシール部材１１を外周側から押し潰している。このように、シール部材１１は、筒部５ｃとシール配置部２４との間に配置されている。すなわち、シール部材１１は、環状に形成されるシール部材１１の径方向において前面カバー５と隔壁部１７との間に配置されている。また、シール部材１１は、隔壁部１７に形成されるカード通過路を外周側から囲むように配置されている。
【００３６】
ケース体７は、その前端が開口する略直方体の箱状に形成されている。このケース体７は、その前端が鍔部５ｂの後面に当接した状態で前面カバー５に固定されている。ケース体７の内部には、カード収容部１６および隔壁部１７が配置されており、ケース体７は、カード収容部１６および隔壁部１７を覆っている。また、上述のように、カード収容部１６には、基板１０、伝熱部材３４およびヒータ３５が固定されており、ケース体７の内部には、基板１０、伝熱部材３４およびヒータ３５が配置されている。ケース体７は、基板１０、伝熱部材３４およびヒータ３５を覆っている。さらに、隔壁部１７には、後述のように、基板２０、２１が固定されており、ケース体７の内部には、基板２０、２１が配置されている。ケース体７は、基板２０、２１を覆っている。なお、カード収容部１６には、基板９も固定されているが、後述のように、基板９の奥端側の一部分は、ケース体７の外部に配置されている。すなわち、基板９の奥端側の一部分を除く大半部分は、ケース体７の内部に配置されているが、基板９の奥端側の一部分は、ケース体７の外部に配置されている。
【００３７】
図１に示すように、ケース体７は、左右方向に二分割される第１ケース体２５と第２ケース体２６とから構成されている。第１ケース体２５は、ケース体７の右側部分を構成し、第２ケース体２６は、ケース体７の左側部分を構成している。また、第１ケース体２５は、ケース体７の右側面を構成する右側面部と、ケース体７の上下の側面の一部分を構成する上下側面部と、ケース体７の後面の一部分を構成する後側面部とから構成され、第２ケース体２６は、ケース体７の左側面を構成する左側面部と、ケース体７の上下の側面の大半部分を構成する上下側面部と、ケース体７の後面の大半部分を構成する後側面部とから構成されている。第２ケース体２６の内側面には、フィルム状に形成される基板２７が貼り付けられている。
【００３８】
第２ケース体２６の左側面部の前後方向の幅は、第１ケース体２５の右側面部の前後方向の幅よりも狭くなっている。左右方向における第１ケース体２５の幅は、左右方向における第２ケース体２６の幅よりも狭くなっている。また、第２ケース体２６の右端面は、基板９よりも右側に配置されている。あるいは、第２ケース体２６の右端面は、左右方向において基板９と同じ位置に配置されている。すなわち、第１ケース体２５は、本体フレーム６の一部（具体的には、本体フレーム６の隔壁部１７よりも後ろ側の部分）と基板９とを右側から覆っている。また、第２ケース体２６は、本体フレーム６の一部（具体的には、本体フレーム６の隔壁部１７よりも後ろ側の部分）と基板１０とを左側、後ろ側および上下の両側から覆っている。また、第２ケース体２６は、基板９を上下の両側から覆っている。
【００３９】
基板９は、上述のように、略長方形の平板状に形成されている。この基板９は、その厚さ方向と左右方向とが一致するように、カード収容部１６に固定されている。基板９には、磁気ヘッド３から引き出されるリード線が接続されている。また、基板９は、磁気ヘッド３によってカード２から読み取った磁気データの信号や磁気ヘッド３によってカード２に記録する磁気データの信号を伝えるためのデータ信号パターンが形成されるデータ信号パターン層と、自身が断線したことおよび短絡したことを検知するための破壊検知パターンが形成される破壊検知パターン層とを備えている。基板９では、データ信号パターン層は、破壊検知パターン層よりも左側に配置されている。
【００４０】
上述のように、第２ケース体２６の左側面部の前後方向の幅は、第１ケース体２５の右側面部の前後方向の幅よりも狭くなっており、基板９の奥端側の一部分は、ケース体７の外部に配置されている。すなわち、基板９の奥端側の一部分の左側面は、ケース体７の外部に露出している。なお、基板９のデータ信号パターン層は、基板９の奥端側の、ケース体７の外部に露出した部分には形成されていない。
【００４１】
基板１０は、上述のように、略長方形の平板状に形成されている。この基板１０は、その厚さ方向と左右方向とが一致するように、カード収容部１６に固定されている。基板１０には、ＩＣ接点ブロックから引き出されるケーブルが接続されている。基板１０の大きさは、基板９の大きさよりも小さくなっており、左右方向から見たときに、基板１０の外周端は、基板９の外周端よりも内側にある。基板１０は、ＩＣ接点によってカード２のＩＣチップから読み取ったデータの信号やＩＣ接点によってカード２のＩＣチップに記録するデータの信号を伝えるためのデータ信号パターンが形成されるデータ信号パターン層を備えている。なお、基板１０は、自身が断線したことおよび短絡したことを検知するための破壊検知パターンが形成される破壊検知パターン層を備えていない。
【００４２】
基板９および／または基板１０には、カード２から読み取られたデータやカード２に記録されるデータが記録されるＲＡＭ（Ｒａｎｄｏｍ  Ａｃｃｅｓｓ  Ｍｅｍｏｒｙ）等の記憶手段と、カードリーダ１の制御回路とが実装されている。
【００４３】
基板２０、２１は、上下方向に細長い略長方形の平板状に形成されたリジッド基板である。この基板２０、２１は、その厚さ方向と前後方向とが一致するように、ネジ２２によって、隔壁部１７の後面に固定されている。また、基板２０、２１は、基板９、１０よりも前側に配置されている。基板２０と基板２１とは、左右方向に所定の間隔をあけた状態で配置されており、左右方向における基板２０と基板２１との間をカード２が通過する。本形態では、基板２０が右側に配置され、基板２１が左側に配置されている。基板２０の右端面は、基板９よりも右側に配置され、基板２０の左端面は、基板９よりも左側に配置されている。基板２１の右端面は、基板１０よりも右側に配置され、基板２１の左端面は、基板１０よりも左側に配置されている。
【００４４】
基板２０、２１は、自身が断線したことおよび短絡したことを検知するための破壊検知パターンが形成される破壊検知パターン層を備えている。また、図５に示すように、基板２０の右端側には、取外し検知機構１３が取り付けられる取付部２０ａが右側に突出するように形成され、基板２１の左端側には、取外し検知機構１３が取り付けられる取付部２１ａが左側へ突出するように形成されている。取付部２０ａ、２１ａは、略正方形状に形成されている。取付部２０ａは、隔壁部１７よりも右側へ突出し、取付部２１ａは、隔壁部１７よりも左側へ突出している。
【００４５】
基板２７は、フレキシブル基板である。この基板２７は、第２ケース体２６の後側面部の内側面に貼り付けられる基板２７ａと、第２ケース体２６の左側面部に貼り付けられる基板２７ｂと、第２ケース体２６の上側面部の内側面に貼り付けられる基板２７ｃと、第２ケース体２６の下側面部の内側面に貼り付けられる基板２７ｄとから構成されている。すなわち、基板２７ａ〜２７ｄが一体で形成されることで、基板２７が形成されている。基板２７は、第２ケース体２６の内側面に沿って、かつ、第２ケース体２６の内側面の全体に貼り付けられている。また、基板２７は、自身が断線したことや短絡したことを検知するための破壊検知パターンが形成される破壊検知パターン層を備えている。
【００４６】
基板９、２０、２１、２７に形成される破壊検知パターンは、たとえば、線状に形成される２本の導体パターンが、基板９、２０、２１、２７の外周側から内周側に向かって渦巻き状に巻回されることによって構成されている。また、破壊検知パターンは、基板９、２０、２１、２７のほぼ全面に形成されている。この破壊検知パターンは、破壊検知パターンの断線や破壊検知パターンの短絡を検知するための検知回路に接続されている。また、破壊検知パターンは、検知回路を介してバックアップ用の電池に接続されており、カードリーダ１の電源がオフの状態になっているときには、バックアップ用の電池から破壊検知パターンに電力が供給される。
【００４７】
上述のように、基板９は、カード収容部１６の右側面に固定され、基板９のデータ信号パターン層は、基板９の破壊検知パターン層よりも左側に配置されている。また、基板９のデータ信号パターン層は、基板９の奥端側の、ケース体７の外部に露出した部分に形成されていない。基板１０は、カード収容部１６の左側面に固定され、第２ケース体２６に左側、後ろ側および上下の両側から覆われている。また、第２ケース体２６の内側面には、破壊検知パターン層を有する基板２７が貼り付けられている。さらに、破壊検知パターン層を有する基板２０、２１は、基板９、１０よりも前側に配置されている。また、基板２０の右端面は、基板９よりも右側に配置され、基板２０の左端面は、基板９よりも左側に配置され、基板２１の右端面は、基板１０よりも右側に配置され、基板２１の左端面は、基板１０よりも左側に配置されている。すなわち、基板９、１０のデータ信号パターンは、基板９に形成される破壊検知パターンと、基板２７に形成される破壊検知パターンと、基板２０、２１に形成される破壊検知パターンとによって全方向から囲まれた領域である保護領域Ｄの中に配置されている。保護領域Ｄは、セキュリティ性が確保された空間である。
【００４８】
取外し検知機構１３は、図５に示すように、棒状に形成されるスイッチ部材３０と、スイッチ部材３０によって押圧される位置に配置される被押圧部材３１とを備えている。この取外し検知機構１３は、基板２０の取付部２０ａと基板２１の取付部２１ａとに取り付けられている。また、取外し検知機構１３は（すなわち、スイッチ部材３０および被押圧部材３１は）、基板２０、２１の前面に取り付けられている。取外し検知機構１３は、鍔部５ｂの後面側の左右の両端側に形成される基板保護部５ｇに覆われている。
【００４９】
スイッチ部材３０は、たとえば、円柱状に形成されている。このスイッチ部材３０は、スイッチ部材３０の軸方向（長手方向）と前後方向とが一致するように配置されており、前後方向に移動可能となっている。また、スイッチ部材３０の先端側部分は、前面カバー５の鍔部５ｂに形成される挿通孔に挿通されている。カードリーダ１が上位装置に取り付けられていないときには、図１等に示すように、スイッチ部材３０の先端側部分は、カードリーダ１の前面側へ突出している。具体的には、カードリーダ１が上位装置に取り付けられていないときに、スイッチ部材３０の先端側部分は、鍔部５ｂの前面よりも前側に突出している。
【００５０】
被押圧部材３１は、基板２０、２１に実装されている。また、被押圧部材３１は、スイッチ部材３０の基端（後端）が接触する位置に配置されている。すなわち、被押圧部材３１は、スイッチ部材３０の後ろ側に配置されている。この被押圧部材３１は、スイッチ部材３０に所定の力で押される押圧状態と、押圧状態が解除される非押圧状態とに切替可能になっている。被押圧部材３１は、たとえば、スイッチ部材３０に所定の力で押されると導通状態になるとともに、スイッチ部材３０による押圧力が弱まると非導通状態となるように構成されており、被押圧部材３１は、導通状態になると押圧状態になり、非導通状態になると非押圧状態になる。あるいは、被押圧部材３１は、圧力センサを備えており、この圧力センサの検出値が所定の閾値以下であると被押圧部材３１が非押圧状態になり、この圧力センサの検出値が閾値を超えると被押圧部材３１が押圧状態になる。
【００５１】
本形態では、上位装置にカードリーダ１が取り付けられると、上位装置の前面を構成する前面パネルの後面に、前面カバー５の鍔部５ｂの前面が当接する。そのため、上位装置にカードリーダ１が取り付けられると、スイッチ部材３０の先端が前面パネルの後面に接触して、スイッチ部材３０が被押圧部材３１側（すなわち、後ろ側）に移動し、被押圧部材３１が非押圧状態から押圧状態に切り替わる。すなわち、上位装置にカードリーダ１が取り付けられた状態では、被押圧部材３１は押圧状態になっている。一方、上位装置からカードリーダ１が取り外されると、スイッチ部材３０が被押圧部材３１から離れる方向（すなわち、前方向）へ移動して被押圧部材３１が押圧状態から非押圧状態に切り替わる。そのため、取外し検知機構１３での検知結果（具体的には、被押圧部材３１の状態）に基づいて、上位装置からカードリーダ１が取り外されたことを検知することができる。
【００５２】
また、本形態では、基板９、２０、２１、２７の破壊検知パターンの断線や短絡が検知されると、カードリーダ１の制御部は、所定の異常処理を実行する。たとえば、カードリーダ１の制御部は、基板９、２０、２１、２７の破壊検知パターンの断線や短絡が検知されると、基板９、１０に実装される記憶手段に記憶されたデータを消去する、あるいは、基板９、１０に実装されるカードリーダ１の制御回路を使用不可な状態にする。また、カードリーダ１の制御部は、取外し検知機構１３での検知結果に基づいて上位装置からカードリーダ１が取り外されたことを検知すると、基板９、１０に実装される記憶手段に記憶されたデータを消去する、あるいは、基板９、１０に実装されるカードリーダ１の制御回路を使用不可な状態にする等の異常処理を実行する。
【００５３】
なお、カードリーダ１は、ケース体７が取り外されたこと（すなわち、第１ケース体２５が取り外されたこと、および／または、第２ケース体２６が取り外されたこと）を検知するための第２の取外し検知機構（図示省略）を備えている。カードリーダ１の制御部は、第２の取外し検知機構での検知結果に基づいてケース体７が取り外されたことを検知すると、基板９、１０に実装される記憶手段に記憶されたデータを消去する、あるいは、基板９、１０に実装されるカードリーダ１の制御回路を使用不可な状態にする等の異常処理を実行する。
【００５４】
（加熱機構の構成）
図７は、図４に示すヒータ３５の分解斜視図である。
【００５５】
加熱機構１２は、熱伝導性材料で形成される伝熱部材３４と、伝熱部材３４に取り付けられるヒータ３５とを備えている。ヒータ３５は、発熱量の異なる複数の発熱部３６、３７と、複数の発熱部３６、３７を間に挟む２枚のシート状部材３８とを備えている。また、加熱機構１２は、複数の発熱部３６、３７のそれぞれに電力を供給するために複数の発熱部３６、３７のそれぞれに電気的に接続される複数のコネクタ４１、４２を備えている（図３参照）。本形態では、ヒータ３５は、互いに発熱量の異なる２個の発熱部３６、３７を備えており、加熱機構１２は、発熱部３６に電気的に接続されるコネクタ４１と、発熱部３７に電気的に接続されるコネクタ４２との２個のコネクタ４１、４２を備えている。
【００５６】
伝熱部材３４は、アルミニウム合金で形成されている。また、伝熱部材３４は、平板状に形成されている。この伝熱部材３４は、その厚さ方向と左右方向とが一致するようにカード収容部１６の右側面に固定されており、カード収容部１６の右側面に接触している。また、伝熱部材３４は、カード収容部１６の右側面の、奥端側の一部分を除いた部分の全体に接触している。なお、伝熱部材３４は、アルミニウム合金以外の熱伝導性材料で形成されても良い。
【００５７】
ヒータ３５は、長方形の平板状に形成されている。このヒータ３５は、長方形に形成されるヒータ３５の長手方向と上下方向とが一致し、ヒータ３５の短手方向と前後方向とが一致し、かつ、ヒータ３５の厚さ方向と左右方向とが一致するように、伝熱部材３４の右側面に貼り付けられており（すなわち、接着固定されており）、伝熱部材３４の右側面に接触している。また、ヒータ３５は、伝熱部材３４の右側面の前端側部分に貼り付けられており、伝熱部材３４およびヒータ３５によって（すなわち、加熱機構１２によって）カード収容部１６が加熱される。本形態では、ヒータ３５は、伝熱部材３４の右側面の、前端側の約半分の部分を右側から覆っている。また、ヒータ３５は、磁気ヘッド３に比較的近い位置に配置されている。なお、ヒータ３５は、ヒータ３５の過加熱を防止するためのサーモスタットと温度ヒューズとを備えている。
【００５８】
発熱部３６は、略矩形状に形成されている。具体的には、発熱部３６は、長方形状に形成されている。発熱部３７は、発熱部３６の外周側を囲む略矩形の枠状に形成されている。具体的には、発熱部３７は、発熱部３６の外周側を囲む長方形の枠状（四角環状）に形成されている。すなわち、２個の発熱部３６、３７は、同心状に配置されており、ヒータ３５は、単層構造の発熱部３６、３７を備えている。発熱部３６、３７は、ステンレス鋼で形成された帯状の発熱体（図示省略）が複数回、波状に折り曲げられることで形成されており、発熱体に電流が供給されると発熱する。
【００５９】
本形態では、発熱部３６を構成する発熱体と発熱部３７を構成する発熱体とが繋がっておらず、発熱部３６の抵抗値と発熱部３７の抵抗値とが異なっている。また、発熱部３６に印加される電圧と発熱部３７に印加される電圧とが等しい。そのため、上述のように、発熱部３６の発熱量と発熱部３７の発熱量とが互いに異なっている。シート状部材３８は、シリコンゴムで形成されている。発熱部３６、３７は、２枚のシート状部材３８に左右の両側から覆われている。本形態の発熱部３６は第１発熱部であり、発熱部３７は第２発熱部である。
【００６０】
コネクタ４１、４２は、基板９に実装されている。具体的には、コネクタ４１、４２は、基板９の奥端側部分の左側面の、ケース体７の外部に露出した部分に実装されている。すなわち、コネクタ４１、４２は、ケース体７の外部に配置されている。基板９とヒータ３５とは、ケーブルを介して電気的に接続されている。本形態では、発熱部３６に電力を供給するための電力供給線と、発熱部３７に電力を供給するための電力供給線とが個別に設けられている。なお、基板９の奥端側部分の左側面の、ケース体７の外部に露出した部分には、上位装置からカードリーダ１に電力を供給したり、上位装置とカードリーダ１との間で信号の通信を行ったりするためのコネクタも実装されている。
【００６１】
コネクタ４１、４２には、先端にコネクタが固定されたケーブル（図示省略）を介して上位装置側の電源が接続されており、電源から発熱部３６、３７に電力が供給されると、発熱部３６、３７が熱を発生させる。具体的には、カードリーダ１が使用される温度環境に応じて、コネクタ４１またはコネクタ４２に上位装置側の電源が接続されており、電源から発熱部３６または発熱部３７に電力が供給されると、発熱部３６または発熱部３７が熱を発生させる。あるいは、カードリーダ１が使用される温度環境に応じて、コネクタ４１およびコネクタ４２に上位装置側の電源が接続されており、電源から発熱部３６および発熱部３７に電力が供給されると、発熱部３６および発熱部３７が熱を発生させる。
【００６２】
（本形態の主な効果）
以上説明したように、本形態では、ヒータ３５は、互いに発熱量の異なる２個の発熱部３６、３７を備えており、加熱機構１２は、２個の発熱部３６、３７のそれぞれに電力を供給するために２個の発熱部３６、３７のそれぞれに電気的に接続される２個のコネクタ４１、４２を備えている。そのため、本形態では、発熱部３６および／または発熱部３７を選択して、選択した発熱部３６、３７に電力が供給されるようにコネクタ４１および／またはコネクタ４２と上位装置側の電源とを接続することで、加熱機構１２によって３種類の加熱温度でカード収容部１６を加熱することが可能になる。したがって、本形態では、カードリーダ１が実際に使用される温度環境に応じて、発熱部３６および／または発熱部３７を選択して、選択した発熱部３６、３７に電力が供給されるようにコネクタ４１および／またはコネクタ４２と上位装置側の電源とを接続することで、カードリーダ１が実際に使用される温度環境に適した加熱温度でカード収容部１６を加熱することが可能になり、その結果、加熱機構１２によってカード収容部１６の中での液体の凍結を防止することが可能になる。そのため、本形態では、カードリーダ１が使用される温度環境が予めわからない場合であっても、ヒータ３５の交換および上位装置側の電源の交換を行うことなく、カード収容部１６の中での液体の凍結を防止することが可能になる。
【００６３】
また、本形態では、発熱部３６および／または発熱部３７を選択して、選択した発熱部３６、３７に電力が供給されるようにコネクタ４１および／またはコネクタ４２と上位装置側の電源とを接続することで、カード収容部１６の中での液体の凍結を防止することが可能になるため、簡単な作業によって、カード収容部１６の中での液体の凍結を防止することが可能になる。
【００６４】
本形態では、ケース体７が取り外されたことが検知されると、基板９、１０の記憶手段に記憶されたデータが消去されたり、基板９、１０の制御回路が使用不可な状態にされたりする等の異常処理が実行されるため、ケース体７を取り外さずに、上位装置側の電源に接続されるコネクタ４１、４２を変更する必要がある。しかしながら、本形態では、２個のコネクタ４１、４２がケース体７の外部に配置されているため、ケース体７を取り外さなくても、上位装置側の電源に接続されるコネクタ４１、４２を変更することが可能になる。
【００６５】
また、本形態では、上位装置からカードリーダ１が取り外されたことが検知されると、基板９、１０の記憶手段に記憶されたデータが消去されたり、基板９、１０の制御回路が使用不可な状態にされたりする等の異常処理が実行されるため、上位装置にカードリーダ１が取り付けられた状態で、上位装置側の電源に接続されるコネクタ４１、４２を変更する必要があるが、本形態では、コネクタ４１、４２がケース体７の外部に配置されているため、カードリーダ１が上位装置に取り付けられた状態であっても、上位装置側の電源に接続されるコネクタ４１、４２を容易に変更することが可能になる。
【００６６】
本形態では、２個の発熱部３６、３７は、同心状に配置されている。そのため、本形態では、発熱部３６が熱を発生させる場合、発熱部３７が熱を発生させる場合、および、発熱部３６と発熱部３７とが熱を発生させる場合のいずれの場合であっても、ヒータ３５によって、伝熱部材３４の全域を斑なく加熱することが可能になる。したがって、本形態では、加熱機構１２によってカード収容部１６の全体を斑なく加熱することが可能になる。
【００６７】
本形態では、発熱部３６、３７は、シリコンゴム製の２枚のシート状部材３８に左右の両側から覆われている。そのため、本形態では、シート状部材３８によって発熱部３６、３７での短絡を防止することが可能になる。また、本形態では、カードリーダ１の制御回路等が実装される基板９にコネクタ４１、４２が実装されているため、基板９に加えて、コネクタ４１、４２が実装される基板やコネクタ４１、４２が接続されるケーブルが別途設けられている場合と比較して、カードリーダ１の構成を簡素化することが可能になる。
【００６８】
本形態では、本体フレーム６は、カード２の奥側部分が収容される袋状のカード収容部１６と、カード収容部１６の手前端に繋がる隔壁部１７とを備えている。また、本形態では、環状に形成されたシール部材１１が、前面フレーム５と隔壁部１７との間に配置されるとともに、隔壁部１７に形成されるカード通過路を外周側から囲むように配置されている。そのため、本形態では、挿入口４から浸入した水等の液体が、カード収容部１６の外部の、基板９、１０の配置箇所へ浸入するのを防止することが可能になる。
【００６９】
（他の実施の形態）
上述した形態は、本発明の好適な形態の一例ではあるが、これに限定されるものではなく本発明の要旨を変更しない範囲において種々変形実施が可能である。
【００７０】
上述した形態では、コネクタ４１、４２は、基板９に実装されている。この他にもたとえば、コネクタ４１は、発熱部３６から引き出されるケーブルの先端に取り付けられても良い。同様に、コネクタ４２は、発熱部３７から引き出されるケーブルの先端に取り付けられても良い。また、上述した形態では、ヒータ３５は、発熱量の異なる２個の発熱部３６、３７を備えているが、ヒータ３５は、発熱量の異なる３個以上の発熱部を備えていても良い。この場合には、加熱機構１２は、３個以上の発熱部のそれぞれに電力を供給するために３個以上の発熱部のそれぞれに電気的に接続される発熱部と同数のコネクタを備えている。
【００７１】
上述した形態では、２個の発熱部３６、３７は、同心状に配置されている。この他にもたとえば、２個の発熱部３６、３７は、上下方向または前後方向で隣り合うように配置されても良い。また、ヒータ３５が発熱量の異なる３個以上の発熱部を備えている場合には、複数の発熱部が同心状に配置されても良いし、上下方向または前後方向で隣り合うように配置されても良い。また、複数の発熱部が入り乱れた状態で配置されても良い。
【００７２】
上述した形態では、ヒータ３５が有する発熱部３６、３７は単層構造となっているが、ヒータ３５が有する発熱部３６、３７は二層構造となっていても良い。すなわち、略矩形状に形成される発熱部３６と略矩形状に形成される発熱部３７とがヒータ３５の厚さ方向で重なっていても良い。また、ヒータ３５が発熱量の異なる３個以上の発熱部を備えている場合には、複数の発熱部は単層構造となっていても良いし、複数層構造となっていても良い。
【００７３】
上述した形態では、カード収容部１６の右側面に固定された伝熱部材３４にヒータ３５が貼り付けられており、ヒータ３５は、伝熱部材３４を介してカード収容部１６に取り付けられている。この他にもたとえば、ヒータ３５は、カード収容部１６に直接、取り付けられても良い。
【００７４】
上述した形態では、第２ケース体２６の内側面に基板２７が貼り付けられているが、第２ケース体２６の内側面に基板２７が貼り付けられていなくても良い。また、上述した形態では、本体フレーム６に基板２０、２１が取り付けられているが、本体フレーム６に基板２０、２１が取り付けられていなくても良い。さらに、上述した形態では、基板９に破壊検知パターンが形成されているが、基板９に破壊検知パターンが形成されていなくても良い。また、上述した形態では、カードリーダ１は、取外し検知機構１３を備えているが、カードリーダ１は、取外し検知機構１３を備えていなくても良い。また、上述した形態では、カードリーダ１は、ケース体７が取り外されたことを検知するための第２の取外し検知機構を備えているが、カードリーダ１は、第２の取外し検知機構を備えていなくても良い。
【００７５】
上述した形態では、シール部材１１は、環状に形成されるシール部材１１の径方向において前面カバー５と隔壁部１７との間に配置されている。この他にもたとえば、上述の特許文献１に記載のカードリーダのように、シール部材１１は、前後方向において前面カバー５と隔壁部１７との間に配置されても良い。また、上述した形態では、カードリーダ１は、挿入口４から浸入した水等の液体がカード収容部１６の外部の、基板９、１０の配置箇所へ浸入するのを防止することが可能な防水機能を備えているが、カードリーダ１は、防水機能を備えていなくても良い。
【００７６】
上述した形態において、非接触でデータの通信を行うためのアンテナがカード２に内蔵されても良い。この場合には、カード２のアンテナとデータの通信を行うためのアンテナがカード収容部１６に取り付けられる。また、上述した形態では、カードリーダ１は、手動式のカードリーダであるが、カードリーダ１は、カード２を自動で搬送するカード搬送機構を有するカード搬送式のカードリーダであっても良い。
【符号の説明】
【００７７】
１  カードリーダ
２  カード
４  挿入口
５  前面カバー
６  本体フレーム
７  ケース体
９、１０  基板
１１  シール部材
１２  加熱機構
１３  取外し検知機構
１６  カード収容部
１７  隔壁部
３５  ヒータ
３６  発熱部（第１発熱部）
３７  発熱部（第２発熱部）
３８  シート状部材
４１、４２  コネクタ
Ｘ１  奥側（カードの挿入方向側）
Ｘ２  手前側（カードの抜取り方向側）
【図１】
0006472656.tif 000002
【図２】
0006472656.tif 000003
【図３】
0006472656.tif 000004
【図４】
0006472656.tif 000005
【図５】
0006472656.tif 000006
【図６】
0006472656.tif 000007
【図７】
0006472656.tif 000008